(57)【要約】【課題】鏡板の少なくとも両側に縦框を取り付けた建具でありながら、正面から見た状態で不均一な隙間がなくなるよう目視できる新規な構造の框組み建具を提供すること。【解決手段】鏡板１０の少なくとも両側に縦框２０を一体に設けた框組み建具であって、鏡板１０はその縦框側の両端部が両面からの内向き傾斜面１３を介して肉厚の薄い嵌合凸部１４になっており、縦框２０は鏡板１０の嵌合凸部１３が嵌まり得る嵌合凹部２３を有すると共にその嵌合凹部２３の入口両側が面取りされて入口傾斜面２４になっており、鏡板１０における嵌合凸部１４と内向き傾斜面１３との境界線ａが縦框２０の入口傾斜面２４の内側に位置する状態で、縦框２０の嵌合凹部２４に鏡板１０の側端の嵌合凸部１３を嵌合して固定する。正面から見ると境界線が入口傾斜面の内側に隠れてしまい、見た目には両者の間に隙間がなくなる。【選択図】        図２
2004300736.tif 000002
【特許請求の範囲】
【請求項１】
鏡板の少なくとも両側に縦框を一体に設けた框組み建具であって、鏡板はその縦框側の両端部が両面からの内向き傾斜面を介して肉厚の薄い嵌合凸部になっており、縦框は鏡板の嵌合凸部が嵌まり得る嵌合凹部を有すると共にその嵌合凹部の入口両側が面取りされて入口傾斜面になっており、鏡板における嵌合凸部と内向き傾斜面との境界線が縦框の入口傾斜面の内側に位置する状態で、縦框の嵌合凹部に鏡板の側端の嵌合凸部を嵌合して固定してなることを特徴とする框組み建具。
【請求項２】
縦框と鏡板との固定にダボを併用したことを特徴とする請求項１に記載の框組み建具。
【発明の詳細な説明】
【０００１】
【発明の属する技術分野】
本発明は、住宅やその他の建物における内装ドア等に用いられる框組み建具に関するものである。
【０００２】
【従来の技術】
従来より、内装ドア等に用いられる建具としては種々のものがあるが、鏡板の少なくとも両側に縦框を有するいわゆる框組み建具が、豪華な外観を呈することから、高級住宅等において広く用いられている。
【０００３】
このタイプの框組み建具を作製する場合、１枚の無垢の板材を加工して鏡板と縦框を一体に形成することも行われているが、この方法では材料的にコストがかかるとともに加工にも手間を要してコストがかる。そこで、通常は、鏡板と縦框を別体で作製し、鏡板の両側に縦框を取り付けることで組み立てている（例えば、特許文献１参照。）。
【０００４】
【特許文献１】
特許第３３３０１１１号公報
【０００５】
【発明が解決しようとする課題】
従来の技術で述べたタイプの框組み建具は、縦框に設けた嵌合凹部に鏡板の両端部に形成した嵌合凸部を嵌合し、その嵌合箇所に接着剤を用いて一体化するようにしている。ところが、框組み建具は所定の幅に仕上げる必要があり、その寸法に合う状態で縦框に鏡板を嵌合接着して一体化しているため、縦框の凹部に鏡板の凸部が上下に渡ってピッタリと嵌まり合った状態にならないことが多く、正面から見ると（溝に沿って目視する場合を含めて）縦框の内側に沿って鏡板の表面との間に隙間を生じるという現象が起き、この隙間は幅が不均一であって統一感がないという問題点があり、また建具のデザインにも制約を生じるという問題点もあった。この溝に塗装を施すことで対処することもできるが、手間が掛かってコストに跳ね返ってしまうことになる。
【０００６】
本発明は、上記のような問題点に鑑みてなされたものであり、その目的とするところは、鏡板の少なくとも両側に縦框を取り付けた建具でありながら、正面から見た状態で不均一な隙間がなくなるよう目視できる新規な構造の框組み建具を提供することにある。
【０００７】
【課題を解決するための手段】
上記の目的を達成するため、本発明の框組み建具は、鏡板の少なくとも両側に縦框を一体に設けた框組み建具であって、鏡板はその縦框側の両端部が両面からの内向き傾斜面を介して肉厚の薄い嵌合凸部になっており、縦框は鏡板の嵌合凸部が嵌まり得る嵌合凹部を有すると共にその嵌合凹部の入口両側が面取りされて入口傾斜面になっており、鏡板における嵌合凸部と内向き傾斜面との境界線が縦框の入口傾斜面の内側に位置する状態で、縦框の嵌合凹部に鏡板の側端の嵌合凸部を嵌合して固定してなることを特徴としている。
【０００８】
【発明の実施の形態】
図１は本発明に係る框組み建具の一例としてのドアを示すもので、図１（Ａ）はドアの正面図、図１（Ｂ）はドアの側面図、図１（Ｃ）は図１（Ａ）におけるＸ−Ｘ部分の断面図であり、図２は図１（Ａ）におけるＹ−Ｙ部分の拡大断面図である。
【０００９】
図１に示すドアＤは、図２に示すように、図３の鏡板１０の左右両側にそれぞされ図４の縦框２０を一体に取り付けて作製されたものである。このうち鏡板１０は鏡板芯材１１の両方の外面に表面化粧板１２を貼って形成されており、縦框２０も縦框芯材２１の外面に表面化粧板２２を貼って形成されている。表面化粧板１２，２２は基板等の表面に突き板、化粧シート等を貼ったものである。
【００１０】
鏡板芯材１１は、合板やＭＤＦボード等で形成されており、その縦框側の両端部が両面からの内向き傾斜面１３を介して肉厚の薄い嵌合凸部１４になっている。すなわち、鏡板芯材１１の両端部は上下方向に渡って嵌合凸部１４となっている。この鏡板芯材１１における嵌合凸部１４の先端を除く両外面に表面化粧材１２を貼り付ける。具体的には、内向き傾斜面１３の両端の角部に対応する位置において表面化粧板１２の内面側にＶカットにより断面略Ｖ字状の折曲げ溝を設け、表面化粧板１２をこれらの折曲げ溝で折り曲げて、鏡板芯材１１の外面に隙間なく沿うようにして貼り付ける。
【００１１】
縦框芯材２１は、合板やＭＤＦボード等で偏平な角柱状に形成されており、その鏡板側の端面には鏡板１０の嵌合凸部１４が嵌まり得る嵌合凹部２３を上下方向に渡って設けてある。この縦框芯材２１の嵌合凹部２３を除く外面に表面化粧板２２を貼り付ける。具体的には、縦框芯材２１の角部に対応する位置において表面化粧板２２の内面側にＶカットにより断面略Ｖ字状の折曲げ溝を設け、表面化粧板２２をこれらの折曲げ溝で折り曲げて、縦框芯材２１の外面に隙間なく沿うようにして貼り付ける。この場合、貼り付ける表面化粧板２２の両端も例えば４５度の傾斜で斜めにカットしておくことにより、図示のように、嵌合凹部２３の入口両側が面取りされて入口傾斜面２４を有する状態にする。
【００１２】
鏡板１０の両側に縦框２０を取り付けてドアＤを組み立てるに際しては、縦框２０の嵌合凹部２３に接着剤を適宜塗布してから、鏡板１０の嵌合凸部１４を嵌め込んで固定する。この場合、図２に示すように、鏡板１０における嵌合凸部１４と内向き傾斜面１３との境界線ａが縦框２０における嵌合凹部２３の入口傾斜面２４の内側に位置する状態で固定する。ここで、入口傾斜面２４の深さは精々１〜２ｍｍ程度であるが、鏡板１０の嵌合凸部１４と縦框２０の嵌合凹部２３の加工精度は高くできるので、境界線ａは十分にこの範囲に収まる。
【００１３】
このようにして作製したドアＤは、正面（図２の矢印方向）から見た時に境界線ａが入口傾斜面２４の内側に隠れてしまい、鏡板１０における内向き傾斜面１３の上に縦框２０の端が見えることになる。したがって、鏡板と縦框の間に隙間を生じることがない。
【００１４】
なお、縦框の嵌合凹部に鏡板の嵌合凸部を嵌め込んで一体化する場合、ダボを利用して固定するようにしてもよい。また、縦框については、縦框芯材を化粧シートによりラッピン法で包み込むタイプの框材を使用してもよいが、このラッピング法で縦框の化粧を行う時は、嵌合凹部の入口両側を切削加工により面取りして入口傾斜面を形成しておくようにする。
【００１５】
以上、本発明の実施の形態について詳細に説明してきたが、本発明による框組み建具は、上記実施の形態に何ら限定されるものではなく、本発明の趣旨を逸脱しない範囲において種々の変更が可能であることは当然のことである。
【００１６】
【発明の効果】
本発明の框組み建具は、鏡板の少なくとも両側に縦框を一体に設けた框組み建具であって、鏡板はその縦框側の両端部が両面からの内向き傾斜面を介して肉厚の薄い嵌合凸部になっており、縦框は鏡板の嵌合凸部が嵌まり得る嵌合凹部を有すると共にその嵌合凹部の入口両側が面取りされて入口傾斜面になっており、鏡板における嵌合凸部と内向き傾斜面との境界線が縦框の入口傾斜面の内側に位置する状態で、縦框の嵌合凹部に鏡板の側端の嵌合凸部を嵌合して固定してなることを特徴としているので、正面から見ると境界線が入口傾斜面の内側に隠れてしまい、見た目には両者の間に隙間がなくなることから、隙間が不均一に生じるようなことがなくなり、製品としてバラツキが生じるのを防ぐことができる。
【図面の簡単な説明】
【図１】本発明に係る框組み建具の一例としてのドアを示すもので、図１（Ａ）はドアの正面図、図１（Ｂ）はドアの側面図、図１（Ｃ）は図１（Ａ）におけるＸ−Ｘ部分の断面図である。
【図２】図１（Ａ）におけるＹ−Ｙ部分の拡大断面図である。
【図３】鏡板の一部拡大断面図である。
【図４】縦框の一部拡大断面図である。
【符号の説明】
Ｄ  ドア
１０  鏡板
１１  鏡板芯材
１２  表面化粧板
１３  内向き傾斜面
１４  嵌合凸部
２０  縦框
２１  縦框芯材
２２  表面化粧板
２３  嵌合凹部
２４  入口傾斜面
ａ  境界線
【図１】
2004300736.tif 000003
【図２】
2004300736.tif 000004
【図３】
2004300736.tif 000005
【図４】
2004300736.tif 000006